(57)【要約】      （修正有）【課題】大気中の雨水、砂ほこり等の室外機の天井板への滞留を防止することができる、エアコン室外機の天井板上に載置される節電遮熱板を提供する。【解決手段】室外機１の天井板上に載置される遮熱板２は、断熱材と断熱材を被覆するアルミ箔とから形成され、遮熱板２本体の室内側の下面に位置して設けられる横木３とから構成される。また、遮熱板２には、遮熱板２を室外機１の横面に固定する際に使用されるロープ４を通貫させる２個ずつ対に形成された通貫穴が設けられている。遮熱板２を使用する際は、横木３を室内側に位置させて、遮熱板２を室外機１の天井板上に載置する。室外機１の天井板と節電遮熱板２との間は、横木３があることにより、横木３の厚さ分の空隙６が形成される。【選択図】図８
0003223748.tif 000002
【実用新案登録請求の範囲】
【請求項１】
エアコンディショナー室外機の天井板上に載置される遮熱板であって、断熱材と断熱材を被覆するアルミ箔とから形成される平板状の本体と、本体の室内側の下面に位置して設けられる横木とから構成されることを特徴とする節電遮熱板。
【考案の詳細な説明】
【技術分野】
【０００１】
本考案は、エアコンディショナー室外機の天井板上に載置する遮熱板に関するものである。
【背景技術】
【０００２】
エアコンディショナー室外機は、冷媒を介して室内機との間で熱交換を行い室内機で生じる熱気また冷気を外部に放出する。
【０００３】
室外機は室外に設置され外気にさらされるため、室外機の天井板上に空気中の不純物、たとえば、雨水、砂ぼこり、チリ、カビ、油分等が滞留する。
【０００４】
雨水、砂ぼこりの滞留がある場合、室外機の天井板の塗装剥げや、塗装剥げによる錆びつき等が生じる。
【０００５】
特に、摩耗しやすいシリコンコーティングのような塗装が天井板にされているような場合、塗装が剥げ落ち、錆びつき等の原因になっていた
【０００６】
。
そればかりか、室外機が太陽光の照射により高温になっている場合、特に太陽光の温度上昇の影響を受けやすい最上部の部屋に設置されているような場合には、エアコンの始動直後は、室内機との間の熱交換は行われにくく、室内機から熱風が噴き出ることになり、熱中症に陥るような場合もある。
【０００７】
このため、室外機の天井板上に遮熱板を載置し、太陽光の照射による室外機の高温化を防止するようにしている。
【先行技術文献】
【特許文献】
【０００８】
【特許文献１】実用新案登録第３２１９６２３号公報
【非特許文献】
【０００９】
【非特許文献１】株式会社山善ホームページ  ＷＡＡＧ−８３６０Ｍ
【非特許文献２】ａｍａｚｏｎホームページ
【非特許文献３】Ｒａｋｕｔｅｎホームページ
【考案の概要】
【考案が解決しようとする課題】
【００１０】
従来の遮熱板は、天井板上に平面状に載置するものである。
【００１１】
平面状に載置された遮蔽板は、雨水、砂ぼこり等空気中の不純物によると塗装剥げ、錆びつき等は抑えられるとしても、遮熱板と天井板とに空隙ができない、あるいは空隙が狭い。
【００１２】
このことから、天井板と遮熱板との間に空気が通風せず、あるいは通風しにくいため、従来の天板上に平面状に載置する遮熱板は遮熱機能が劣るものであった。
【００１３】
そればかりでなく、室外機及び室内機の熱交換機能の低下を招きエアコンディショナーの耐用年数が短期化するという問題があった。
【００１４】
本考案は、従来の平面状に載置される遮熱板は、遮熱板と室外機の天井板との間の空隙がなく、あるいは狭いものであり、室外機の天井板との間に通風空間ができにくいため、天井板上が通風されにくく、遮熱効率が劣るばかりでなく、節電効果が劣るものであった。
【課題を解決するための手段】
【００１５】
本考案は、かかる事情に鑑みて創案されたものであって、室外機１の天井板１ａ上に載置される遮熱板２は、断熱材２ａと断熱材２ａを被覆するアルミ箔２ｂとから形成され、遮熱板２本体の室内側の下面に位置して設けられる横木３とから構成される。
【００１６】
また、上記遮熱板２には、遮熱板２を室外機１の横面に固定する際に使用されるロープ４を通貫させる２個ずつ対に形成された通貫穴５が設けられている
【００１７】
かかる構成において、上記遮熱板２を使用する際は、横木３を室内側に位置させて、遮熱板２を室外機１の天井板１ａ上に載置する。
【００１８】
この状態で、室外機１の天井板１ａと節電遮熱板２との間は、横木３があることにより、横木３の厚さ分の空隙６が形成される。
【００１９】
このように遮熱板２を天井板１ａ上に載置するだけで、両者間には空隙６が形成され、この空隙６により、遮熱板２と天井板１ａとの間が通風されるので、天井板１ａの温度上場を減少させ、節電効果を向上させることができる。
【００２０】
図４、図５及び図６は、本遮熱板２を実際に使用した際のデータが記載されている。
【００２１】
このデータでは、図６に示すように、１．遮熱板を使用しない場合、２．他社の遮熱板を使用した場合、３．本節電遮熱板２を使用した場合の３つ場合の３時間３０分間の消費電力を測定したデータである。
【００２２】
このデータでは、消費電力は、１の場合は７．９９円、２の場合は４．９６円、３の場合は４．１８７８４となり、本節電遮熱板２の消費電力が少ない、すなわち、節電効果が一番高いことを示している。
【００２３】
また、本節電遮熱板２は、室外機１の天井板１ａに空隙６を存して載置されるが、本節電遮熱板２は天井板１ａ上に載置した状態で、前倒れ状態の傾斜面が形成されるので、この傾斜面により大気中の雨水、砂ほこり等も室外機１の天井板１ａに滞留を防止することができる。
【００２４】
よって、大気中の不純物による塗装剥げ、塗装剥げによう錆びつき等を防止することができる。
【００２５】
また、上記の節電遮熱板２では、横木３が１個だけのものを示したが、厚みの異なる複数のものを用意し、節電遮熱板２と室外機１の天井板１ａとの間に複数挿入するものでもよい。
【００２６】
このように、複数の厚さの異なる横木２により、両者間の空隙６の広さを調節することができる。
【００２７】
さらに、本節電遮熱版２は仰角を有して太陽光発電機を設置することができる節電遮熱板を提供するものである。
【００２８】
従来の天井板上に平面状に載置されることから、太陽光に対して仰角を得ることができない。
【００２９】
本節電遮熱板２は天井板１ａ上に載置すると、横木３があることにより、前倒れ状態に傾斜することとなり、仰角を得ることができる。
【００３０】
したがって、本節電遮熱板２上に太陽光発電機（図示せず）を設置することにより、効率的な太陽光発電を行うことができる。
【００３１】
また、本考案は、遮熱板の室外機への固定を室外機に従来からある器具を利用して、容易かつ安価に固定できある節電遮熱板を提供するものである。
【００３２】
本節電遮熱板２の室外機１への固定方法を説明する。
【００３３】
まず、室外機１の短手部分で、左右の横板１１と天井板１ａとを固定している既存の室外機１個のネジ１２を緩める。
【００３４】
次いで、節電遮熱板２の４隅にある２個ずつの貫通穴５に、ロープ４を掛け渡して下部に貫通させる。
【００３５】
次いで、節電遮熱版２の下部に貫通されたロープ４を緩められているネジ１２に巻き付け絡める。
【００３６】
次いで、ロープ４が絡められたネジ１２を元の状態に締め直す。
【００３７】
以上により、節電遮熱板２は室外機１に固定される。
【００３８】
このように、節電遮熱板２は、従来から、室外機１の天井板１ａと横板１１を結合するために設けられているネジ１２を利用して固定することができる。
【００３９】
したがって、従来から室外機１に設けられているものを利用して遮熱板２は室外機１に固定することができるので、固定部材を増やすことなく、極めて少部品で、かつ安価で、かつ容易に固定することができる。
【００４０】
なお、緩められた後締め直されたネジ１２の部分には、適宜、鳩目（図示せず）や、穴埋め材を施すことのより、ネジ１２部分の錆つきを防止できるばかりでなく、ネジ１２部分から室外機１内への雨水等の侵食を防止して室外機の耐用年数を伸ばすことができる。
【考案の効果】
【００４１】
遮熱板２を天井板１ａ上に載置するだけで、両者間には空隙６が形成され、この空隙６により、遮熱板２と天井板１ａとの間が通風されるので、天井板１ａの温度上場を減少させ、節電効果を向上させることができる。
【００４２】
本節電遮熱板２は天井板１ａ上に載置した状態で、前倒れ状態の傾斜面が形成されるので、この傾斜面により大気中の雨水、砂ほこり等も室外機１の天井板１ａに滞留することがなく、天井板の錆びつきを防止することができる。
【００４３】
本節電遮熱板２は天井板１ａ上に載置すると、前倒れ状態に傾斜することとなり、仰角を得ることになるので、本節電遮熱板２上に太陽光発電機を設置することにより、効率的な太陽光発電を行うことができる。
【符号の説明】
【００４４】
１    室外機
１ａ  天井板
２    節電遮熱板
２ａ  断熱材
２ｂ  アルミ箔
３    横木
４    ロープ
５    通貫穴
６    空隙
１１  横板
１２  ネジ
【図面の簡単な説明】
【００４５】
【図１】平面図
【図２】側面図
【図３】正面図
【図４】節電データ１
【図５】節電データ２
【図６】節電データ３
【図７】固定方法を説明する平面図
【図８】固定方法を説明する側面図
【図９】固定方法を説明する他の側面図
【考案を実施するための形態】
【００４６】
本考案の実施例を図面に基づいて説明する。
【００４７】
エアコン室外機１の天井板１ａ上に載置する本考案の節電遮熱板２は、断熱材２ａと、アルミ箔２ａと、横木３とから構成される。
【００４８】
上記節電遮熱板２は、断熱材２ａがアルミ箔２ｂに被覆されて平板状に形成される。
【００４９】
また、上記横木３は、節電遮熱板２の下面に位置して設けられており、節電遮熱板２の下面と、エアコン室外機１の天井板との間には、横木３の厚さの分の空隙６が生じる。
【００５０】
かかる構成において、上記遮熱板２を使用する際は、横木３を室内側に位置させて、遮熱板２を室外機１の天井板１ａ上に載置する。
【００５１】
この状態で、室外機１の天井板１ａと節電遮熱板２との間は、横木３があることにより、横木３の厚さ分の空隙６が形成される。
【００５２】
このように遮熱板２を天井板１ａ上に載置するだけで、両者間には空隙６が形成され、この空隙６により、遮熱板２と天井板１ａとの間が通風されるので、天井板１ａの温度上場を減少させ、節電効果を向上させることができる。
【００５３】
図４、図５及び図６は、１．遮熱板を使用しない場合、２．他社の遮熱板を使用した場合、３．本節電遮熱板２を使用した場合の３つ場合の３時間３０分間の消費電力を測定したデータである。
【００５４】
第４図、第５図及び第６図に示すように、消費電力を比較したデータでは、消費電力は、１の場合は７．９９円、２の場合は４．９６円、３の場合は４．１８７８４円となり、本節電遮熱板２の消費電力が少ない、すなわち、節電効果が一番高い。
【００５５】
また、本節電遮熱板２は、室外機１の天井板１ａに空隙６を存して載置されるが、本節電遮熱板２は天井板１ａ上に載置した状態で、前倒れ状態の傾斜面が形成されるので、この傾斜面により大気中の雨水、砂ほこり等も室外機１の天井板１ａに滞留を防止することができる。
【００５６】
よって、大気中の不純物による塗装剥げ、塗装剥げによう錆びつき等を防止することができる。
【００５７】
さらに、本節電遮熱版２は仰角を有して太陽光発電機を設置することができる節電遮熱板を提供するものである。
【００５８】
従来の天井板上に平面状に載置されることから、太陽光に対して仰角を得ることができないが、本節電遮熱板２は天井板１ａ上に載置すると、横木３があることにより、前倒れ状態に傾斜することとなり、仰角を得ることができる。
【図１】
0003223748.tif 000003
【図２】
0003223748.tif 000004
【図３】
0003223748.tif 000005
【図４】
0003223748.tif 000006
【図５】
0003223748.tif 000007
【図６】
0003223748.tif 000008
【図７】
0003223748.tif 000009
【図８】
0003223748.tif 000010
【手続補正書】
【提出日】令和1年8月29日(2019.8.29)
【手続補正１】
【補正対象書類名】明細書
【補正対象項目名】００４５
【補正方法】変更
【補正の内容】
【００４５】
【図１】平面図
【図２】側面図
【図３】正面図
【図４】節電データ１
【図５】節電データ２
【図６】節電データ３
【図７】固定方法を説明する平面図
【図８】固定方法を説明する側面図